(57)【要約】【課題】  包装用の紐が不正にほどかれたことを確認できるようにした開梱確認用の非接触ＩＣタグ及び非接触ＩＣタグを用いた開梱確認方法を提供する。【解決手段】ベースフィルム上に、アンテナ部と、アンテナ部に電気的に接続されたＩＣチップとが設けられ、前記ベースフィルムが１つ以上のシート状基材と積層され、接着一体化された非接触ＩＣタグ本体と、非接触ＩＣタグ本体の両端部に接続された梱包用の紐と、を有し、非接触ＩＣタグ本体は、ベースフィルム及びシート状基材に、アンテナ部が形成されている部分を切断可能な位置に切断線が形成され、梱包用の紐は、該紐の一端部に、該紐の端部を引っ張ることで解消されるループ形状を有する結び目が設けられ、前記結び目は、紐の端部が引っ張られてループ形状が解消される際に、紐に接続されている非接触ＩＣタグ本体の切断線に対して、切断させるための引張力を及ぼすことが可能に形成されている。【選択図】        図１
2009134658.tif 000002
【特許請求の範囲】
【請求項１】
ベースフィルム上に、アンテナ部と、前記アンテナ部に電気的に接続されたＩＣチップとが設けられ、前記ベースフィルムが１つ以上のシート状基材と積層され、接着一体化された非接触ＩＣタグ本体と、前記非接触ＩＣタグ本体の両端部に接続された梱包用の紐と、を有する開梱確認用の非接触ＩＣタグセットであって、
前記非接触ＩＣタグ本体は、前記ベースフィルム及びシート状基材に、前記アンテナ部が形成されている部分を切断可能な位置に切断線が形成され、
前記梱包用の紐は、該紐の一端部に、該紐の端部を引っ張ることで解消されるループ形状を有する結び目が設けられ、
前記結び目は、前記紐の端部が引っ張られてループ形状が解消される際に、前記紐に接続されている前記非接触ＩＣタグ本体の切断線に対して、切断させるための引張力を及ぼすことが可能に形成されていることを特徴とする開梱確認用の非接触ＩＣタグセット。
【請求項２】
前記非接触ＩＣタグ本体と、前記梱包用の紐の前記結び目との間に、連結紐が設けられていることを特徴とする請求項１記載の開梱確認用の非接触ＩＣタグセット。
【請求項３】
前記アンテナ部が、該アンテナ部が切断された場合に、通信距離が半分以下となる構造を有することを特徴とする請求項１記載の開梱確認用の非接触ＩＣタグ。
【請求項４】
前記アンテナ部が、該アンテナ部が切断された場合に、通信不能となる構造を有することを特徴とする請求項１記載の開梱確認用の非接触ＩＣタグ。
【請求項５】
前記複数のシート状基材が、紙又はプラスチックフィルムからなることを特徴とする請求項１記載の開梱確認用の非接触ＩＣタグ。
【請求項６】
梱包用の紐が巻き付けられて梱包された梱包体が、不正に開梱されたことを確認可能とした非接触ＩＣタグを用いた開梱確認方法であって、
ベースフィルム上に、アンテナ部と、前記アンテナ部に電気的に接続されたＩＣチップとが設けられ、前記ベースフィルムが１つ以上のシート状基材と積層され、更に、前記ベースフィルム及び前記シート状基材の、前記アンテナ部が形成されている部分を切断可能な位置に切断線が形成された非接触ＩＣタグ本体と、
前記非接触ＩＣタグ本体の両端部に接続された梱包用の紐であって、前記紐の一端部に、該紐の端部を引っ張ることで解消されるループ形状を有する結び目と、が設けられ、
前記結び目の紐の端部が引っ張られた際に、前記ループ形状が縮小することで前記非接触ＩＣタグ本体に引張力が及ぼされて、前記紐に接続されている前記非接触ＩＣタグ本体の切断線から切断させて、前記アンテナ部も切断され、前記非接触ＩＣタグによる通信状態が変化することで開梱確認が行われることを特徴とする非接触ＩＣタグを用いた開梱確認方法。
【請求項７】
前記非接触ＩＣタグ本体に及ぼされる引張力が、前記切断線が形成されている方向に対し０度以上９０度未満の角度に加わるように、梱包の際に、前記梱包用の紐を前記非接触ＩＣタグ本体に取り付けることを特徴とする請求項６記載の非接触ＩＣタグを用いた開梱確認方法。
【発明の詳細な説明】
【技術分野】
【０００１】
本発明は、梱包状態にある物品が、運送の途中で不正に開梱された場合でも、運送後に開梱されたことを確認できるように梱包物に取り付ける開梱確認用の非接触ＩＣタグ及び非接触ＩＣタグを用いた開梱確認方法に関する。
【背景技術】
【０００２】
従来、運送を行う物品の梱包方法として、物品の外周に包装用の紐を巻き付けて梱包物を作成することで、梱包された物品を第三者による悪戯から保護したり、更に、運送の途中で梱包物内の物品が盗難されないように保護する方法が行われている。
【０００３】
しかしながら、たとえ包装用の紐を物品に巻き付けて梱包物を作成した場合でも、その梱包物を、運送の前後に、倉庫などに一時的に保管しておくことも多く、その保管中に第三者が不正に梱包物に巻き付けられている包装用の紐をほどいて、内容物の一部を盗み出して、その後に再度、包装用の紐を巻き付けることで犯行が行われたことが直ぐに発覚しないように偽装工作することも考えられる。
【０００４】
従来、開梱されたことを機械的に調べることができるようにするために、非接触ＩＣタグをラベル化して、梱包体の開梱部に貼り付けることで、開梱されたことを非接触ＩＣタグからの通信状態により判断することができる技術が知られている。（例えば、特許文献１参照）
【０００５】
【特許文献１】特開２００２−３６２６１３号公報
【０００６】
しかしながら、従来の非接触ＩＣタグラベルによる開梱確認では、簡単に他のラベルに貼り替えたり、一旦非接触ＩＣタグラベルの全体を剥離させてから、再度貼りなおすなどして、不正行為が行われた場合でもわからないという問題がある。
【発明の開示】
【発明が解決しようとする課題】
【０００７】
そこで、本発明は、特に、包装用の紐を物品に巻き付けて梱包物を作成した場合において、物品に巻き付けられた包装用の紐が不正にほどかれ、再度、巻き付けて偽装工作が行われたとしても、一旦、包装用の紐が不正にほどかれたことを確認できるようにした開梱確認用の非接触ＩＣタグ及び非接触ＩＣタグを用いた開梱確認方法を提供する。
【課題を解決するための手段】
【０００８】
本発明の開封確認用の非接触ＩＣタグは、ベースフィルム上に、アンテナ部と、前記アンテナ部に電気的に接続されたＩＣチップとが設けられ、前記ベースフィルムが１つ以上のシート状基材と積層され、接着一体化された非接触ＩＣタグ本体と、前記非接触ＩＣタグ本体の両端部に接続された梱包用の紐と、を有する開梱確認用の非接触ＩＣタグセットであって、前記非接触ＩＣタグ本体は、前記ベースフィルム及びシート状基材に、前記アンテナ部が形成されている部分を切断可能な位置に切断線が形成され、前記梱包用の紐は、該紐の一端部に、該紐の端部を引っ張ることで解消されるループ形状を有する結び目が設けられ、前記結び目は、前記紐の端部が引っ張られてループ形状が解消される際に、前記紐に接続されている前記非接触ＩＣタグ本体の切断線に対して、切断させるための引張力を及ぼすことが可能に形成されていることを特徴とする。
【０００９】
また、本発明の開封確認用の非接触ＩＣタグは、前記非接触ＩＣタグ本体と、前記梱包用の紐の前記結び目との間に、連結紐が設けられていることを特徴とする。
【００１０】
更に、本発明の開封確認用の非接触ＩＣタグは、前記アンテナ部が、該アンテナ部が切断された場合に、通信距離が半分以下となる構造を有することを特徴とする。
【００１１】
また、前記アンテナ部が、該アンテナ部が切断された場合に、通信不能となる構造を有することを特徴とする請求項１記載の開梱確認用の非接触ＩＣタグ。
【００１２】
更に、本発明の開封確認用の非接触ＩＣタグは、前記複数のシート状基材が、紙又はプラスチックフィルムからなることを特徴とする。
【００１３】
また、本発明の非接触ＩＣタグを用いた開梱確認方法は、梱包用の紐が巻き付けられて梱包された梱包体が、不正に開梱されたことを確認可能とした非接触ＩＣタグを用いた開梱確認方法であって、ベースフィルム上に、アンテナ部と、前記アンテナ部に電気的に接続されたＩＣチップとが設けられ、前記ベースフィルムが１つ以上のシート状基材と積層され、更に、前記ベースフィルム及び前記シート状基材の、前記アンテナ部が形成されている部分を切断可能な位置に切断線が形成された非接触ＩＣタグ本体と、前記非接触ＩＣタグ本体の両端部に接続された梱包用の紐であって、前記紐の一端部に、該紐の端部を引っ張ることで解消されるループ形状を有する結び目と、が設けられ、前記結び目の紐の端部が引っ張られた際に、前記ループ形状が縮小することで前記非接触ＩＣタグ本体に引張力が及ぼされて、前記紐に接続されている前記非接触ＩＣタグ本体の切断線から切断させて、前記アンテナ部も切断され、前記非接触ＩＣタグによる通信状態が変化することで開梱確認が行われることを特徴とする。
【００１４】
更に、本発明の非接触ＩＣタグを用いた開梱確認方法は、前記非接触ＩＣタグ本体に及ぼされる引張力が、前記切断線が形成されている方向に対し０度以上９０度未満の角度に加わるように、梱包の際に、前記梱包用の紐を前記非接触ＩＣタグ本体に取り付けることを特徴とする。
【発明の効果】
【００１５】
本発明の開封確認用の非接触ＩＣタグは、非接触ＩＣタグが梱包体に巻き付けられた梱包用の紐をほどく際に、非接触ＩＣタグが切断線から切断され、アンテナ部が形成されている部分も切断されることから、再度、梱包用の紐を巻き付けて偽装工作を行ったとしても、非接触ＩＣタグの通信距離を元通りに回復できないので、不正に開梱されたことを確認できるという効果がある。
【００１６】
また、本発明の非接触ＩＣタグを用いた開梱確認方法は、非接触ＩＣタグが梱包体に巻き付けられた梱包用の紐をほどく際に、非接触ＩＣタグが切断線から切断され、アンテナ部が形成されている部分も切断されることから、再度、巻き付けて偽装工作を行ったとしても、非接触ＩＣタグの通信距離を元通りに回復できず、非接触ＩＣタグによる通信状態が変化することで開梱確認を行うことができるという効果がある。
【発明を実施するための最良の形態】
【００１７】
以下、本発明の実施形態に係る開梱確認用の非接触ＩＣタグ及び非接触ＩＣタグを用いた開梱確認方法を、図面に基づいて詳細に説明する。
図１は、本発明の実施形態に係る開梱確認用の非接触ＩＣタグの平面図、図２は、本発明の実施形態に係る開梱確認用の非接触ＩＣタグに内蔵されているインレットの平面図、図３は、図１のＡ−Ａ線断面図である。
本発明の実施形態に係る開梱確認用の非接触ＩＣタグ１は、図１に示すように、一方向に対して長い矩形形状を有し、その長手方向に対して直角に切断線として切り取り用ミシン２が形成され、この切り取り用ミシン２から非接触ＩＣタグ１が切断可能に構成されている。
そして、非接触ＩＣタグ１は、複数のシート状基材４ａ，４ｂの間に、縦横幅寸法が小さなインレット５が挟み込まれており、少なくともインレット５の四周縁部が接着剤６により接着一体化されたＩＣタグ本体１ａを有している。
これらの複数のシート状基材４ａ，４ｂは、紙又はプラスチックフィルムなどからなる。
【００１８】
非接触ＩＣタグ１に内蔵されているインレット５は、図２に示すように、ベースフィルム５１上に形成されたアンテナ部５２と、そのアンテナ部５２に電気的に接続されたＩＣチップ５３とにより構成されている。
アンテナ部５２は、２つのアンテナ素子５２ａ，５２ｂからなり、それぞれのアンテナ素子５２ａ，５２ｂは、ＩＣチップ５３のアンテナ入力端子に接続されている。
２つのアンテナ素子５２ａ，５２ｂは、共に半波長ダイポール型アンテナであるが、左側のアンテナ素子５２ａは、右側よりもやや大きい形状となっている。
左右のアンテナ素子５２ａ，５２ｂは、その大きさや指向特性が異なるように設計でき、その場合には、いずれかの信号入力の大きなアンテナを自動選択して動作させられるという特徴がある。
なお、アンテナ部５２は、ベースフィルム５１面に形成され、アンテナ素子５２ａ，５２ｂとＩＣチップ５３面は、プラスチックフィルムからなる表面保護シートで全体を被服することが好ましい。
【００１９】
また、ＩＣチップ５３は、ダイバシティー機能を有するものであり、２以上のアンテナ入力端子を有している。
ダイバシティー機能は、入力端子に接続された２つの平面アンテナ素子５２ａ，５２ｂの受信波を増幅して、その強弱を判定し、スイッチングを行う。
ＩＣチップ５３の２つの増幅回路は、判定を正確に行うため、増幅特性、周波数特性等の電気的特性の同一性が要求される。
【００２０】
ベースフィルム５１には、前記アンテナ部５２が形成されている部分を切断可能な位置に、切断線である切り取り用ミシン５４が形成されている。
ベースフィルム５１に形成されている切り取り用ミシン５４と、複数のシート状基材４ａ，４ｂに形成されている切り取り用ミシン２とは、重なる状態で形成されている。
これらの切断線である切り取り用ミシン５４と切り取り用ミシン２とを重ね合わせる状態とするために、複数のシート状基材４ａ，４ｂの間にインレット５を挟み込み、接着剤６により接着一体化された後に、ミシン刃で切り込んで形成することが好ましい。
【００２１】
また、ベースフィルム５１に形成されている切り取り用ミシン５４の位置は、図２に示すように、左側のアンテナ素子５２ａの一部が切断される位置となるように形成されている。
つまり、開梱確認用の非接触ＩＣタグ１に形成された切り取り用ミシン２，５４から切り取られた場合に、左側のアンテナ素子５２ａは使用不能となり、右側のアンテナ素子５２ｂだけを使用して、リーダライタとの通信を行える状態となる。
但し、この場合には、通信距離が半分以下となり、リーダライタによる通信において、この通信距離の変動により切り取り用ミシン２，５４から切り取られたことを確認できるようになっている。
【００２２】
また、開封確認用の非接触ＩＣタグ１は、長手方向の左右両端付近に、開封確認用の非接触ＩＣタグ１を梱包体に固定する際に梱包用の紐８を通してつなげるための紐留め用の穴３ａ，３ｂがそれぞれ形成されている。
図４には、本発明の開封確認用の非接触ＩＣタグを用いて、物品１０を包装した梱包体９を説明するための断面図が示されている。
図４に示すように、非接触ＩＣタグ１に形成された一方の紐留め用の穴３ａには、所定寸法を有する連結紐７の一端部が通されて連結され、その連結紐７の他端部は、梱包体９に巻きつけて梱包を行うための梱包用の紐８と結ばれている。
連結紐７と結ばれている梱包用の紐８の端部は、その紐８の最端部を引っ張ることでループ形状を解くことができるループ形状を有する結び目８ａが設けられている。
【００２３】
図５には、ループ形状を有する結び目８ａについて説明する図が示されている。
ループ形状を有する結び目８ａは、紐８の最端部８ｂを矢印１１の方向に引っ張ることで結び目が解消されるように結ばれている。
これらの結び目は、紐の端部を引っ張ることで解消されるループ形状を有する結び目であれば、公知の結び目のいずれを用いてもよい。
図５（ａ）に示す状態は、梱包体９の外周に梱包用の紐８が巻きつけられている場合のループ形状を示している。
梱包用の紐８により梱包された梱包体９は、図５（ａ）に示す状態のループ形状を有する結び目８ａのまま運送されることになる。
【００２４】
そして、梱包用の紐８により梱包された梱包体９に対して、その梱包を解く場合には、ループ形状を有する結び目８ａの最端部８ｂを矢印１１の方向に引っ張る。
図５（ｂ）には、矢印１１の方向に、ループ形状を有する結び目８ａの最端部８ｂを引っ張った途中の状態が示されているが、この場合にループ形状の大きさが小さくなることで、連結紐７も矢印１２の方向に引っ張られることになる。
これにより、連結紐７に連結された非接触ＩＣタグ１も引っ張られて、非接触ＩＣタグ１の本体の切断線から切断されることになる。
【００２５】
図６には、非接触ＩＣタグ１が切断線から切断される状態を説明する図が示されている。
梱包体９が梱包用の紐８により梱包されている場合には、図６（ａ）に示すように、非接触ＩＣタグ１が切断されない状態となっている。
しかしながら、図６（ｂ）に示すように、一旦、非接触ＩＣタグ１が切断線から切断された場合には、切り取り用ミシン５４から切断されたインレット５により、アンテナ部５２も切断されることになり、左側のアンテナ素子５２ａは使用不能となり、右側のアンテナ素子５２ｂだけを使用して、リーダライタとの通信を行なうことになる。
【００２６】
アンテナ部５２が切断された場合には、通信距離が半分以下となる構造を有していることから、不正を行った者が、再度、包装用フィルム１１を元の状態となるように、梱包体に帯状に巻き付けて体裁をとりつけたとしても、リーダライタとの通信を行なった際に通信距離が異なることから不正が行われたことを確認することができるようになっている。
【００２７】
また、非接触ＩＣタグ本体に及ぼされる引張力が、非接触ＩＣタグ１の切断線が形成されている方向に対し０度以上９０度未満の角度に加わるように、梱包の際に、梱包用の紐を前記非接触ＩＣタグ本体に取り付けるようにしてもよい。
図７には、非接触ＩＣタグ本体に及ぼされる引張力を９０度とした場合を説明する図が示されている。
この場合には、図７（ａ）に示すように、非接触ＩＣタグ１に形成する紐留め用の穴３ｃ，３ｄ，３ｅを角部に設けることが好ましい。
【００２８】
そして、図７（ｂ）に示すように、非接触ＩＣタグ１の切断線が形成されている方向に対し９０度の角度に引張力が加わるように、梱包の際に、梱包用の紐を前記非接触ＩＣタグ本体に取り付けて、引っ張られることで非接触ＩＣタグ１の切断線が切断され、アンテナ部５２も切断されることになり、左側のアンテナ素子５２ａは使用不能となり、右側のアンテナ素子５２ｂだけを使用して、リーダライタとの通信を行なうことになる。
【００２９】
また、非接触ＩＣタグ本体に及ぼされる引張力が、非接触ＩＣタグ１の切断線が形成されている方向に対し０度以上９０度未満の角度に加わるようにするために、図１０（ａ）に示すように、非接触ＩＣタグ１に形成された切り取り用ミシン２から一方側の裏面を粘着層で梱包体９に貼付させるようにしてもよい。
この場合には、粘着層で梱包体９に貼付させた側と反対側の角に形成した紐留め用の穴３ｃに結ばれた連結紐７が引っ張られることで、非接触ＩＣタグ１の切断線が切断され、アンテナ部５２も切断されることになり、左側のアンテナ素子５２ａは使用不能となり、右側のアンテナ素子５２ｂだけを使用して、リーダライタとの通信を行なうことになる。
【００３０】
また、複数のシート状基材４ａ，４ｂの間に設けるインレットとして、図８に示すような、インレット５ａを用いてもよい。
このインレット５ａは、ベースフィルム５１上に形成されたアンテナ部として１つのアンテナ部５２ｃと、そのアンテナ部５２ｃに電気的に接続されたＩＣチップ５５とにより構成されている。
そして、ベースフィルム５１には、アンテナ部５２ｃが切断される位置に切り取り用ミシン２ａが形成されている。
ベースフィルム５１に形成された切り取り用ミシン２ａと、複数のシート状基材４ａ，４ｂに形成された切り取り用ミシンとが重合された状態で接着一体化されて開封確認用の非接触ＩＣタグが構成される。
【００３１】
この場合には、図９に示すように、開封確認用の非接触ＩＣタグの切り取り用ミシンから切断された場合に、アンテナ部が切断され、通信不能となる。
したがって、リーダライタによる通信において、通信不能であることから、梱包体が開封されたことを確認することができるようになっている。
【００３２】
上記のように、本発明の非接触ＩＣタグを用いた開梱確認方法では、梱包用の紐の一端部に、該紐の端部を引っ張ることで解消されるループ形状を有する結び目とが設けられ、前記結び目の紐の端部が引っ張られた際に、前記ループ形状が縮小することで非接触ＩＣタグ本体１に引張力が及ぼされて、紐に接続されている非接触ＩＣタグ本体の切断線から切断され、アンテナ部も切断されるので、梱包用の紐が巻き付けられて梱包された梱包体が、不正に開梱された場合でも、リーダライタとの通信状態の変化から梱包体が開封されたことを確認することができるようになっている。
【図面の簡単な説明】
【００３３】
【図１】本発明の実施形態に係る開梱確認用の非接触ＩＣタグの平面図である。
【図２】本発明の実施形態に係る開梱確認用の非接触ＩＣタグに内蔵されているインレットの平面図である。
【図３】図１のＡ−Ａ線断面図である。
【図４】本発明の実施形態に係る開梱確認用の非接触ＩＣタグを使用して、梱包させた梱包体の断面図である。
【図５】ループ形状を有する結び目について説明する図である。
【図６】非接触ＩＣタグが切断線から切断される状態を説明する図である。
【図７】非接触ＩＣタグ本体に及ぼされる引張力を９０度とした場合を説明する図である。
【図８】本発明の実施形態に係る開封確認用の非接触ＩＣタグに内蔵されている他のインレットの平面図である。
【図９】図８に示すインレットが切断された状態を示す平面図である。
【図１０】非接触ＩＣタグ本体に及ぼされる引張力を９０度とした場合の他の例を説明する図である。
【符号の説明】
【００３４】
１  開梱確認用の非接触ＩＣタグ
２，５４  切り取り用ミシン
３ａ，３ｂ，３ｃ，３ｄ，３ｅ  紐留め用の穴
４ａ，４ｂ  シート状基材
５  インレット
６  接着剤
８  梱包用の紐
８ａ  ループ形状を有する結び目
８ｂ  紐の最端部
９  梱包体
１０  物品
１１  包装用フィルム
５１  ベースフィルム
５２  アンテナ部
５２ａ，５２ｂ  アンテナ素子
５３  ＩＣチップ
【図１】
2009134658.tif 000003
【図２】
2009134658.tif 000004
【図３】
2009134658.tif 000005
【図４】
2009134658.tif 000006
【図５】
2009134658.tif 000007
【図６】
2009134658.tif 000008
【図７】
2009134658.tif 000009
【図８】
2009134658.tif 000010
【図９】
2009134658.tif 000011
【図１０】
2009134658.tif 000012